(57)【要約】 【課題】  リテーナよりも外側に連結ロッドが飛び出すことのない空調用レジスタを提供する。【解決手段】縦方向に配列する複数の横フィン２と、横フィンに固定され支軸２１の回動により揺動するアーム２２と、アームの配列方向の一端部に位置する第１のアームに連結するとともに第１のアームと隣接する第２のアームとの間に配置されたリンク部材５と、第２〜４のアームに連結され該アームの揺動により移動する連結ロッド６とをもつ。連結ロッドがリテーナの側壁１ｃから遠方に移動するときに、リンク部材は、第２〜４のアームの揺動に伴って揺動可能とするように、リテーナに支持されている。連結ロッドには、リンク部材に形成された突部５２が嵌合しており且つ連結ロッドがリテーナの一端側の側壁１ｃに向けて移動するときにリンク部材に対して連結ロッドを相対移動させる長穴６３が形成されている。【選択図】  図９
2011112313.tif 000002
【特許請求の範囲】
【請求項１】
吹出し口と空気流路を形成する筒状のリテーナと、
該リテーナ内に収容され横方向に延び互いに並設された複数のフィンと、
複数の該フィンの延び方向の端部にそれぞれ突出し前記リテーナに回動可能に枢支された複数の支軸と、を備えた空調用レジスタにおいて、
一端が複数の前記各支軸に固定され前記各支軸の回動により各フィンと一体に揺動する複数のアームと、
複数の該アームの配列方向の一端部に位置する一のアームに連結するとともに、該一のアームと、該一のアームに隣接するアームとの間に配置されたリンク部材と、
複数の前記アームのうち前記一のアーム以外の１又は2以上の他のアームに連結され該他のアームの揺動により移動する連結ロッドと、
該連結ロッドが、前記一のアームに隣接する前記リテーナの隣接壁部から遠方に移動するときに、前記リンク部材を前記他のアームの揺動に伴って揺動可能とするように前記リテーナに前記リンク部材を支持させる揺動手段と、
前記連結ロッドに形成されて、前記リンク部材に形成された突部が嵌合しており且つ前記連結ロッドが前記リテーナの前記隣接壁部に向けて移動するときに前記リンク部材に対して前記連結ロッドを相対移動させる長穴と、を有することを特徴とする空調用レジスタ。
【請求項２】
前記長穴は、前記連結ロッドに対する前記リテーナの相対的な揺動軌跡と同じ円弧形状である請求項１に記載の空調用レジスタ。  
【請求項３】
前記揺動手段は、前記リテーナに一端が枢支され他端で前記リンク部材を枢支する揺動ロッドである請求項１又は請求項２に記載の空調用レジスタ。  
【請求項４】
前記揺動手段は、前記リテーナに形成された円弧形状のガイド穴と、前記リンク部材に突設され前記ガイド穴に移動可能に嵌合された嵌合突部とからなる請求項１又は請求項２に記載の空調用レジスタ。  
【発明の詳細な説明】
【技術分野】
【０００１】
本発明は、住宅建物の空調装置の室内吹出し口や車両用空調装置の車室内吹出し口などに取付けられて空調空気の吹出し方向を調整する空調用レジスタに関する。
【背景技術】
【０００２】
例えば、住宅建物の空調装置の室内吹出し口には、複数のフィンが一定方向に向いて空調空気を室内に吹出させる空調用レジスタが取付けられている。空調用レジスタのフィンの向きが一定方向に固定されていると、空調空気の吹き出し方向が一定方向に偏ってしまう。そこで、フィンの向きの調節可能な空調用レジスタが望まれている。
【０００３】
フィンの向きの調節可能な空調用レジスタとしては、例えば、特許文献１に開示されているように、車両のインストルメントパネルに取付けられる空調用レジスタがある。このレジスタは、図１６（ａ）に示すように、リテーナ９０の吹出し口側には、フランジを設けた枠体９０ｂが設けられている。枠体９０ｂの流通空間には、複数枚のフィン９１が所定の間隔で配列させている。フィン９１は、フィン９１の左右の端面から突出した支軸９２を介して、リテーナ９０に回動可能に支持されている。支軸９２先端に形成されたアーム９３は、連結ロッド９４に所定の間隔で一連に連結している。図１６（ｂ）〜（ｄ）に示すように、連結ロッド９４が、配列方向の一端側又は他端側に移動して支軸９２を中心にアーム９３及びフィン９１が揺動することにより、空調用レジスタの空調空気の吹出し方向が調整される。
【０００４】
図１６（ｄ）に示すように、連結ロッド９３は、複数枚のフィン９１のうち枠体９０ｂの壁部９５に近接するフィン９１は、他のフィン９１と同じ揺動角度で揺動すると、壁部９５と干渉してしまい、すべてのフィン９１の揺動が制限される。そこで、壁部９５に近接するフィン９１及びアーム９３の揺動角度を抑えるべく、連結ロッド９４に形成されてアーム９３の突部９３ａを嵌合している嵌合孔９４ａを、円弧状の逃し穴としている。
【０００５】
この特許文献１の空調用レジスタは、フィン９１に固定された支軸９２がリテーナに回動可能に支持されているため、複数のフィンを互いに平行で任意な方向に調節することができる。ただし、壁部９５に近接したアーム９３の突部９３ａは、逃し穴である円弧状の嵌合孔９４ａに嵌合されているため動かない。アーム９３の突部９３ａは、嵌合孔９４ａの端部に当接した位置で止まり、フィン９１ａは壁部９５と干渉することが回避される。
【先行技術文献】
【特許文献】
【０００６】
【特許文献１】特開平１１−１３９１５６号公報
【発明の概要】
【発明が解決しようとする課題】
【０００７】
しかしながら、図１６（ｄ）に示すように、端部側のフィン９１は、これに連結されているアーム９３の突部９３ａが嵌合孔９４ａの端部に当接した位置で止まっているとき、連結ロッド９３の下端部は下方に移動される。このため、連結ロッド９３の下端部が枠体９０ｂの壁部９５よりも外側に突出してしまう。
【０００８】
このレジスタを住宅空調用として用いる場合には、リテーナの間際まで天井材などの基材が迫ってきているため、連結ロッド９３がリテーナよりも外側に突出するスペースを設けにくい。例えば、天井にあける穴が大きくなったり複雑な切り取り枠線となったりするため、レジスタの取付け作業の負担が大きくなる。
【０００９】
また、嵌合孔９４ａの円弧長さを短くして、連結ロッド９３のリテーナからの突出量を減らすことも考えられるが、その場合には、フィン９１の傾斜角度の調整可能範囲が減り、好ましくない。
【００１０】
このような連結ロッドの突出による問題は、車両空調用レジスタについても起こり得る。例えば、レジスタのリテーナに近接した位置に機器を設置することができなくなり、空間スペースの有効利用の妨げとなる。
【００１１】
本発明はかかる事情に鑑みてなされたものであり、リテーナよりも外側に連結ロッドが飛び出すことのない空調用レジスタを提供することを課題とする。
【課題を解決するための手段】
【００１２】
（１）本発明の空調用レジスタは、吹出し口と空気流路を形成する筒状のリテーナと、
該リテーナ内に収容され横方向に延び互いに並設された複数のフィンと、
複数の該フィンの延び方向の端部にそれぞれ突出し前記リテーナに回動可能に枢支された複数の支軸と、を備えた空調用レジスタにおいて、
一端が複数の前記各支軸に固定され前記各支軸の回動により各フィンと一体に揺動する複数のアームと、
複数の該アームの配列方向の一端部に位置する一のアームに連結するとともに、該一のアームと、該一のアームに隣接するアームとの間に配置されたリンク部材と、
複数の前記アームのうち前記一のアーム以外の１又は2以上の他のアームに連結され該他のアームの揺動により移動する連結ロッドと、
該連結ロッドが、前記一のアームに隣接する前記リテーナの隣接壁部から遠方に移動するときに、前記リンク部材を前記他のアームの揺動に伴って揺動可能とするように前記リテーナに前記リンク部材を支持させる揺動手段と、
前記連結ロッドに形成されて、前記リンク部材に形成された突部が嵌合しており且つ前記連結ロッドが前記リテーナの前記隣接壁部に向けて移動するときに前記リンク部材に対して前記連結ロッドを相対移動させる長穴と、を有することを特徴とする。
【００１３】
上記構成によれば、複数のフィンは、それぞれ支軸を介してアームを一体に固定している。このため、各フィンが揺動すると各アームも同様に揺動する。複数のアームのうち配列方向の一端側に位置する一のアームは、リンク部材に連結され、他のアームは、連結ロッドに連結されている。このため、他のアームのいずれか１つが揺動すると、連結ロッドによって互いに繋がれた他のアーム及びフィンが揺動する。
【００１４】
連結ロッドがリテーナの隣接壁部に向かって揺動するときに、連結ロッドに形成された長穴が、リンク部材に形成された突部に対して移動する。このため、リンク部材の移動が抑えられる。そして、リンク部材は、一端側の一のアームと、一のアームと隣接するアームとの間に位置している。そのため、リテーナよりも外側に連結ロッドが飛び出すことを防止することができる。
【００１５】
リンク部材の移動が抑えられるため、リンク部材に連結されている一端側の１のアーム及びフィンの揺動は抑えられる。したがって、一端側に近接するリテーナの隣接壁部にフィンが干渉することを防止することができる。
【００１６】
（２）前記長穴は、前記連結ロッドに対する前記リテーナの相対的な揺動軌跡と同じ円弧形状であることが好ましい。
【００１７】
長穴の円弧形状は、連結ロッドに対するリテーナの相対的な揺動軌跡に一致する。このため、連結ロッドがリテーナの隣接壁部に向かって揺動するときに、リンク部材が、リテーナの相対的な揺動軌跡を描く長穴に沿って、連結ロッドに対して相対移動する。それゆえ、リンク部材は、リテーナと同様に、移動しない。ゆえに、リンク部材がリテーナから突出することを確実に抑制することができる。
【００１８】
（３）前記揺動手段は、前記リテーナに一端が枢支され他端で前記リンク部材を枢支する揺動ロッドであることが好ましい。
【００１９】
この場合には、揺動ロッドが、一端を中心に揺動可能であるため、リンク部材は、連結ロッドとともに揺動することができる。このため、連結ロッドがリテーナの隣接壁部から遠方に移動するときに、リンク部材に連結されている一のアームを介して、一のフィンを、他のフィンとともに揺動させることができる。
【００２０】
（４）前記揺動手段は、前記リテーナに形成された円弧形状のガイド穴と、前記リンク部材に突設され前記ガイド穴に移動可能に嵌合された嵌合突部とからなることが好ましい。
【００２１】
この場合には、嵌合突部がガイド穴に沿って移動することで、リンク部材は、連結ロッドとともに揺動することができる。このため、連結ロッドがリテーナの隣接壁部から遠方に移動するときに、リンク部材に連結されている一のアームを介して一のフィンを、他のフィンとともに揺動させることができる。
【発明の効果】
【００２２】
本発明の空調用レジスタによれば、他のアームに連結された連結ロッドは、リテーナの隣接壁部に向けて移動するときに，リンク部材の長穴に沿って移動するため、リンク部材の移動が抑えられる。このため、連結ロッドが、リテーナよりも外側に飛び出すことを防止することができる。
【図面の簡単な説明】
【００２３】
【図１】本発明の実施例１の空調用レジスタの斜視図である。
【図２】実施例１の空調用レジスタの正面図である。
【図３】実施例１の空調用レジスタの平面図である。
【図４】図２のＡ−Ａ矢視断面図である。
【図５】実施例１の空調用レジスタの分解斜視図である。
【図６】図２のＢ−Ｂ矢視断面図である。
【図７】図２のＣ−Ｃ矢視断面図である。
【図８】実施例１のリンク部材、連結ロッド及び揺動ロッドの斜視図である。
【図９】実施例１の空調用レジスタの、横フィン及びアームがＮ位置である場合の左側面図である。
【図１０】実施例１の空調用レジスタの、横フィン及びアームがＵ位置である場合の左側面図である。
【図１１】実施例１の空調用レジスタの、横フィン及びアームがＤ位置である場合の左側面図である。
【図１２】実施例１の空調用レジスタの、横フィン及びアームがＳ位置である場合の左側面図である。
【図１３】実施例２の空調用レジスタの斜視図である。
【図１４】本発明における、リンク部材がフィン配列方向の両端側に配置されている場合の空調用レジスタの左側面図である。
【図１５】本発明における、リンク部材に突設された嵌合突部が、リテーナに形成されたガイド穴に沿って移動することでリンク部材を移動可能としている場合の空調用レジスタの左側面図である。
【図１６】従来例の空調用レジスタの分解斜視図（ａ）、フィンが水平方向に向いているときの側面図（ｂ）、フィンが一端側に傾斜したときの側面図（ｃ）、及びフィンが他端側に傾斜したときの側面図（ｄ）である。
【発明を実施するための形態】
【００２４】
本発明の実施形態に係る空調用レジスタについて、図面を用いて詳細に説明する。図１に示すように、空調用レジスタ１０は、横方向に長く、縦方向に短い長方形状を呈している。空調用レジスタ１０内の導入口１９側から吹出し口１８までの空気流路の向きを奥行方向という。空調用レジスタ１０は、住宅の各部屋の天井壁などに形成された開口に取付けられて、住宅集中空調装置で調整された空調空気を各部屋に吹出す。
【００２５】
図２〜図４に示すように、空調用レジスタ１０は、筒状のリテーナ１と、リテーナ１の中の吹出し口１８側に配設された複数の横フィン２と、リテーナ１の中の導入口１９側に配設された複数の縦フィン３と、リテーナ１の長手方向の両端部に設けられて横フィン２の揺動方向を調節する調節機構４とを有する。
【００２６】
図５に示すように、リテーナ１は、長方形状の内部空間をもつ筒状体であり、上流側に導入口１９を、下流側に吹出し口１８を開口させている。リテーナ１は、吹出し口１８側に配置された第１枠１１と、導入口１９側に配置された第３枠１３と、第１枠１１と第３枠１３との間に配置された第２枠１２とを互いに嵌合することにより一体に形成されている。
【００２７】
図５、図６に示すように、複数の横フィン２は、リテーナ１の中に縦方向に配列している。各横フィン２は、横方向に長く延びている。そして各横フィン２は、横方向の中央で２つのフィン部２１、２１に区切られている。フィン部２１，２１の断面は、１８ｍｍの幅ｂを有する偏平細長形状をなしている。本例においては、フィン部２１の厚みａは４ｍｍである。フィン部２１の長さｌは、２２２ｍｍである。
【００２８】
図５、図７に示すように、２つのフィン部２１，２１の間は中央支軸２３で連結されている。中央支軸２３は、リテーナ１の横方向中央に形成された縦方向に延びる補強枠１４に回動可能に支持されている。補強枠１４は、第１枠１１に形成された補強部１１ｂと第２枠１２に形成された補強部１２ｂとを合わせて一体にすることにより形成されている。補強部１１ｂと補強部１２ｂとの間に形成された軸受穴１５には、中央支軸２３が回動可能に貫挿されている。
【００２９】
各横フィン２の横方向の両端部には支軸２１が突設されている。支軸２１は、リテーナ１の第１枠１１の側壁と第２枠１２の側壁との間に形成された軸受穴１６に回動可能に支持されている。
【００３０】
図５、図８に示すように、調節機構４は、リテーナ１の横方向の両端部の外側に配設されている。調節機構４は、横フィン２の支軸２１に固定されたアーム２２と、縦方向の一端側に配置されたリンク部材５と、縦方向の他端側に配置された連結ロッド６と、リンク部材５を揺動させる揺動ロッド７とからなる。
【００３１】
図５，図９に示すように、アーム２２は、支軸２１の先端に固定されていて、横フィン２の幅方向に延びている。アーム２２は、リテーナ１の側壁外側で、横フィン２と同様に縦方向に配列しており、その先端には、突起２２ｅが横方向外側に突出している。本実施例では、４つの横フィン２及びアーム２２が配列しているが、２つ以上であればその数は問わない。横フィン２及びアーム２２は、配列方向の順を特に特定したい場合には、縦方向の一端側から他端側に向けて順に、第１の横フィン２ａ及びアーム２２ａ、第２の横フィン２ｂ及びアーム２２ｂ、第３の横フィン２ｃ及びアーム２２ｃ、第４の横フィン２ｄ及びアーム２２ｄと称する。
【００３２】
リンク部材５は、段形状をなし、アーム連結穴５１と、横方向外側に突出する突部５２と、ロッド連結穴５３と、摺接壁５４とを有する。リンク部材５は、縦方向の一端側に位置する第１のアーム２２ａと、この第１のアーム２２ａに隣接する第２のアーム２２ｂとの間に配置されている。リンク部材５のアーム連結穴５１には、第1のアーム２２ａの突起２２ｅが嵌合されている。第１のアーム２２ａは本発明のフィンの配列方向の一端側に位置する一のアームに相当し、第２、第３、第４のアーム２２ｂ、２２ｃ、２２ｄは、本発明の他のアームに相当する。
【００３３】
連結ロッド６は、縦方向に長いロッドであり、その長手方向の一端側と中央部に形成された円形のロッド連結穴６１、６１と、長手方向の他端側に形成された円弧形状のロッド連結穴６２と、一端側のロッド連結穴６１よりも導入口側に形成された円弧状の長穴６３とを有する。
【００３４】
円形のロッド連結穴６１，６１には、第２のアーム２２ｂの突起２２ｅと、第３のアーム２２ｃの突起２２ｅが嵌合されている。他端側のロッド連結穴６２の形状は、円弧形状であり、第４のアーム２２ｄの基端に固定されている支軸２１を中心とし、３０°の中心角度をもつ。他端側のロッド連結穴６２は、円弧形状をもち、第４のアーム２２、即ち縦方向の他端側に位置するアーム２２の突起２２ｅが摺動可能に嵌合されている。
【００３５】
長穴６３は円弧形状をもち、複数のアーム２２の配列方向の両端部以外のアーム（たとえば、第２のアーム２２ｂ）に連結されている支軸２１の相対的な揺動軌跡と同じ形状である。即ち、長穴６３の円弧形状は、連結ロッド６に対して支軸２１が相対的に移動する円弧状の軌跡と同じ形状である。この円弧の中心角度は９０°である。
【００３６】
長穴６３の周囲は、円弧枠６４により囲まれている。円弧枠６４の導入口側端部６４ａは、リンク部材５の摺接壁５４に摺接している。摺接壁５４は、左右外側に段状に突出して、アーム２２の支軸２１を中心とする突起２２ｅの揺動軌跡と同じ円弧形状をもつ。円弧枠６４はこの摺接壁５４に沿って移動可能である。
【００３７】
揺動ロッド７の一端側には支軸７１が設けられ、他端側には嵌合突部７２が設けられている。揺動ロッド７は、アーム２２と同じ長さである。嵌合突部７２の移動軌跡は、支軸７１を中心として揺動し、図９に示したアーム２２のＮ位置から図１０に示したアーム２２のＵ位置に移動するときの移動軌跡と同じ円弧形状の揺動軌跡をもつ。図９に示すように、支軸７１は、リテーナ１の側壁の外側で吹出し口１８側に配置されて、横方向内側に突出している。支軸７１は、リテーナ１の側壁に形成された丸穴１ａ（図５）に嵌合されて、リテーナ１に回動可能に支持されている。嵌合突部７２は、リテーナ１の側壁の外側で導入口１９側に配置されて、横方向外側に突出している。嵌合突部７２は、リンク部材５のロッド連結穴５３に回動可能に嵌合されている。
【００３８】
図５、図６に示すように、複数の縦フィン３は、リテーナ１の内部で横フィン２よりも導入口１９側に横方向に配列されている。縦フィン３の縦方向の両端部からは、縦方向外側に支軸３１が突出している。支軸３１は、リテーナ１の第２枠１２の側壁と第３枠１３の側壁との間に形成された軸受穴１７に回動可能に支持されている。図４に示すように、複数の縦フィン３は、それぞれ任意な角度で揺動可能である。
【００３９】
本例の空調用レジスタの各構成部品は、樹脂製である。
【００４０】
空調用レジスタ１０を天井に取り付けるにあたっては、図３、図４に示すように、天井壁８に開口８１を形成し、この開口８１の周縁にリテーナ１の吹出し口１８側に形成されたフランジ部１１ａを係止させる。開口８１の天井裏側に、住宅用集中空調装置に連結されるダクトを接続させたチャンバー８２を固定する。これにより、チャンバー８２の底部に空調用レジスタ１０が配置されて、空調用レジスタ１０のリテーナ１の導入口側周縁に形成された奥壁１３ａが、チャンバー８２の両側壁の底部と対面する。この底部に奥壁１３ａをネジ８３で締結固定する。
【００４１】
次に、本例の空調レジスタの作動について説明する。図６に示すように、横フィン２が、空調用レジスタの奥行方向に平行に向いている場合をニュートラル位置（Ｎ位置）、奥行方向に対して縦方向の一端側に３０°傾斜した場合を上３０°位置（Ｕ位置）、奥行方向に対して縦方向の他端側に３０°傾斜した場合を下３０°位置（Ｄ位置）、奥行方向に対して縦方向の他端側に９０°傾斜した場合をシャット位置（Ｓ位置）と称する。横フィン２がいずれの位置にあるときにも、アーム２２は、横フィン２と同じ方向に向くため、アーム２２が、上記の各位置にあるともいうことにする。
【００４２】
図９は、横フィン２がＮ位置にあるときの調節機構４の状態を示す。図９に示すように、調節機構４のアーム２２は、Ｎ位置にある。揺動ロッド７は奥行方向に向き、リンク部材５の突部５２は、連結ロッド６の長穴６３の一端部に位置している。円弧枠６４の導入口側端部６４ａは、摺接壁５４の他端部に位置している。連結ロッド６の円弧形状のロッド連結穴６２の縦方向の他端側には、第４のアーム２２ｄの突起２２ｅが位置している。
【００４３】
横フィン２をＮ位置からＵ位置に移行させるときには、図１０に示すように、第１〜第４の横フィン２のいずれかの導入口側端部を他端側に倒して、奥行方向に対して縦方向の一端側に３０°傾斜させる。すると、リンク部材５は、揺動ロッド７の支軸７１を中心に揺動する。リンク部材５の突部５２が連結ロッド６の長穴６３の一端部に当接しながら、リンク部材５は、連結ロッド６と一体となって、縦方向の他端側に移動する。連結ロッド６のロッド連結穴６２の一端部に位置するまで、すべてのアーム２２及び横フィン２が支軸２１を中心に揺動する。
【００４４】
横フィン２をＮ位置からＤ位置に移行させるときには、図１１に示すように、第２〜第４の横フィン２ｂ、２ｃ、２ｄのいずれかの導入口側端部を一端側に倒して、奥行方向に対して縦方向の他端側に３０°傾斜させる。すると、連結ロッド６が、一端側に移動して、連結ロッド６で互いに連結されている第２〜第４のアーム２２ｂ、２２ｃ、２２ｄ及び横フィン２ｂ、２ｃ、２ｄも、他端側に３０°傾斜する。
【００４５】
このとき、リンク部材５の突部５２が連結ロッド６の長穴６３の一端部から他端部に向けて移行する。長穴６３の円弧形状は、連結ロッド６に対するリテーナ１の相対的な揺動軌跡と同じ形状であり、連結ロッド６を主体としたときのリテーナ１の相対移動する軌跡に一致する。具体的には、例えば、連結ロッド６に支持されているアーム２２の突起２２e（連結ロッドの基準点）に対する、リテーナ１に支持されているアーム２２の支軸２１（リテーナの相対揺動点）の揺動軌跡と同じ形状をしている。このため、連結ロッド６がリテーナ１の一端側の側壁１ｃ（隣接壁部）に向かって揺動するときに、リンク部材５が、リテーナ１の相対的な揺動軌跡を描く長穴６３に沿って、連結ロッド６に対して相対移動する。それゆえ、リンク部材５は、リテーナ１と同様に、移動しない。リンク部材５に連結されている第１のアーム２２ａ及び横フィン２ａも揺動せず、Ｎ位置に維持される。
【００４６】
また、リンク部材５には、摺接壁５４が形成されている。摺接壁５４は、リテーナ１に対する連結ロッド６の相対揺動軌跡と同じ形状の円弧形状をもつ。例えば、摺接壁５４は、アーム２２の支軸２１（リテーナ１上の支点）を中心とする突起２２ｅ（連結ロッド６上の揺動点）の揺動軌跡と同じ円弧形状をもつ。この摺接壁５４の形状は、リテーナ１からみたときに連結ロッド６が移動する軌跡に一致する。連結ロッド６の円弧枠６４は、この摺接壁５４に沿って一端側から他端側に向けて移動する。このため、連結ロッド６が、リンク部材５の突部５２と摺接壁６４とで支持されながら、リンク部材５に対して移動する。ゆえに、連結ロッド６の移動が安定化される。
【００４７】
横フィン２をＤ位置からＳ位置に移動させるには、図１２に示すように、第２〜第４の横フィン２のいずれかの導入口側端部を更に一端側に倒して、奥行方向に対して縦方向の他端側に９０°傾斜させる。すると、連結ロッド６が、一端側に更に移動して、連結ロッド６で互いに連結されている第２〜第４のアーム２２ｂ、２２ｃ、２２ｄ及び横フィン２ｂ、２ｃ、２ｄも、他端側に９０°傾斜してＳ位置に配置されて、吹出し口１８は第２〜第４の横フィン２ｂ、２ｃ、２ｄで閉止される。このとき、連結ロッド６の長穴６３がリンク部材５の突部５２に対して移動して、突部５２を長穴６３の他端部に相対的に移行させるため、リンク部材５は移動しない。リンク部材５に連結されている第１のアーム２２ａ及び横フィン２ａも移動せず、Ｎ位置に維持される。
【００４８】
なお、横フィン２がＳ位置に配置されたときに、横フィン２とリテーナ１との間の隙間から空調空気が吹き出すことを抑えるため、リテーナ１の横フィン２よりも奥側に、空調空気の流路に向けて突出して流路の周縁を絞る絞り部１ｄが形成されている。
【００４９】
本例においては、図１１、図１２に示すように、連結ロッド６がリテーナ１の一端側の側壁１ｃに向かって揺動するときに、長穴６３が突部５２に対して移動することで、突部５２を長穴６３の一端側から他端側に向けて相対移動させる。このため、リンク部材５の移動が抑えられる。そして、リンク部材５は、一端側の第１のアーム２２ａと第２のアーム２２ｂとの間に位置している。そのため、リテーナ１よりも外側に連結ロッド６が飛び出すことがない。従って、リテーナ１の外周壁間際まで迫る天井壁８の開口８１の壁部に、調節機構４が干渉することを防止できる。
【００５０】
また、リンク部材５の移動が抑えられるため、リンク部材５に連結されている一端側の第１のアーム２２ａ及び横フィン２ａの揺動は抑えられる。したがって、一端側に近接するリテーナ１の側壁１ｃに横フィン２が干渉することを防止することができる。
【００５１】
また、横フィン２は、横方向の中央で、リテーナ１の補強枠１４に回動可能に支持されている。このため、補強枠１４がない場合に比べて、横フィン２の剛性が高い。
【００５２】
（実施例２）
本例は、図１３に示すように、リテーナ１の横方向の中央に、補強枠がない点で、実施例１と相違する。横フィン２のフィン部２１は、横方向の一端側から他端側まで一体に連続している。その他は、実施例１と同様である。
【００５３】
（実施例３）
本例は、横フィン２のフィン部２１の厚みを、実施例１の横フィン２のフィン部２１の厚みの約２倍とした点を除いて、実施例２と同様である。本例のフィン部２１の厚みは７ｍｍである。
【００５４】
＜実験例＞
実施例１〜３の空調用レジスタの横フィンの剛性を検討した。実施例１〜３の横フィンの成形材料は、ＰＢＴＧ４０（ポリブチレンテレフタレート樹脂）である。横フィンのフィン部の厚み、幅、横方向の長さ、断面二次モーメント、及びたわみ量を表１に示した。たわみ量は、フィン部の横方向の中央に２０Ｎの加重を厚み方向に加えた場合を想定して算出した。たわみ量の算出式（ａ）、断面二次モーメントの算出式（ｂ）、たわみ量の算出式に断面二次モーメントの算出式を代入したときの式（ｃ）を、数１に示した。たわみ量の算出式で用いる曲げ弾性率は、ＰＢＴＧ４０の曲げ弾性率であり、１３３００ＭＰａを用いた。
【００５５】
【表１】
2011112313.tif 000003
【数１】
2011112313.tif 000004
【００５６】
表１より知られるように、実施例１のフィン部のたわみ量は、実施例２、３の場合よりも小さかった。このことから、横フィン２の中央を補強枠１４で補強することにより、横フィン２の剛性が向上することがわかる。
【００５７】
上記実施例においては、縦方向の一端側に位置する第１のアーム２２のみにリンク部材５を連結しているが、図１４に示すように、縦方向の他端側に位置する第４のアーム２２にリンク部材５０を連結してもよい。他端側に配置されたリンク部材５０及び揺動ロッド７０は、一端側に配置されたリンク部材５と対称構造をもつ。連結ロッド６は、一端側及び他端側に長穴６３，６３５をもつ。フィン２がＵ位置側に揺動して連結ロッド６が他端側に移動するときに、連結ロッド６の他端側に形成された長穴６３５が他端側のリンク部材５５の突起５２に対して移動することで、リンク部材５５が移動を免れ、Ｎ位置に止まる。この場合には、縦方向の一端側及び他端側に位置する一対のリンク部材５、５０、及び一対のリンク部材５、５０の間に配置されている連結ロッド６は、リテーナ１の縦方向の外側にはみ出すことはない。
【００５８】
また、リンク部材５をリテーナ１に対して揺動可能とする揺動手段としては、実施例１では、リテーナ１に一端が枢支され他端でリンク部材５を枢支する揺動ロッド７であったが、図１５に示すように、リテーナ１に形成されたガイド穴１ｂと、リンク部材５に突設されガイド穴１ｂに移動可能に嵌合された嵌合突部５５とからなる場合でもよい。ガイド穴１ｂは、実施例１の揺動ロッド７の嵌合突部７２の移動軌跡上に形成された円弧形状をもつ。この場合でも、ガイド穴１ｂに沿って嵌合突部５５が移動することで、リンク部材５がリテーナ１に対して揺動する。
【００５９】
本例においては、横フィン２は、手動で各フィンの傾斜方向を調節するものであるが、電動式とすることもできる。電動式にする場合には、たとえば、連結ロッド６に駆動手段を連結して、連結ロッド６を駆動手段で移動させることにより、横フィン２の傾斜方向を調節することができる。また、連続的又は間欠的に横フィンの傾斜角度を調節することもできる。
【００６０】
本例においては、空調用レジスタ１０は、住宅集中空調装置の各部屋の吹き出し口に取り付けたが、各部屋に装着される空調装置の吹き出し口に取り付けても良い。また、車両の車室内のインストルメントパネルに取り付けても良い。
【符号の説明】
【００６１】
１：リテーナ、１ａ：丸穴、１ｂ：ガイド穴、１ｃ：側壁（隣接壁部）、２：横フィン、３：縦フィン、４：調節機構、５：リンク部材、６：連結ロッド、７：揺動ロッド、８：天井壁、１０：空調用レジスタ、１５，１６、１７：軸受穴、１８：吹出し口、１９：導入口、２１：支軸、２２：アーム、２２ｅ：突起、５１：アーム連結穴、５２：突部、５３：ロッド連結穴、５４：摺接壁、６１，６２：ロッド連結穴、６３：長穴、６４：円弧枠、７１：支軸、７２：嵌合突部。
【図１】
2011112313.tif 000005
【図２】
2011112313.tif 000006
【図３】
2011112313.tif 000007
【図４】
2011112313.tif 000008
【図５】
2011112313.tif 000009
【図６】
2011112313.tif 000010
【図７】
2011112313.tif 000011
【図８】
2011112313.tif 000012
【図９】
2011112313.tif 000013
【図１０】
2011112313.tif 000014
【図１１】
2011112313.tif 000015
【図１２】
2011112313.tif 000016
【図１３】
2011112313.tif 000017
【図１４】
2011112313.tif 000018
【図１５】
2011112313.tif 000019
【図１６】
2011112313.tif 000020